(57)【要約】  本発明は、無線通信システム端末がネットワークへのアクセスを加速する方法に関するものである。無線端末がシステムのパラメーター情報を受信して、基地局ID(BS ID)及びネットワークアクセスプロバイダID(NAP ID)のシステム情報を取得してから、直ちにNAP IDの有効性、又はNAP ID及びBS IDの有効性を判断し、その結果が有効だと判断されれば、端末は格納した情報によりネットワーク発見と選択の後続のプロセスを続け、その結果が無効だと判断されれば、新しいネットワーク発見とプロセス選択を行うことにする。こうすると、既存の協議プロセスにおけるNAP ID又はBS IDが無効である場合に続けてメッセージ受信やデコードするなどのプロセスを省略する。これによって、端末がネットワークへのアクセス速度を上げられる。
2010534987.tif 000002
【特許請求の範囲】
【請求項１】
無線通信システム端末のネットワークへのアクセスを加速する方法であって、
（ａ）無線端末がシステムのパラメーター情報を受信し、基地局標識BS ID及びネットワークアクセスプロバイダ標識NAP IDのシステム情報を取得してから、直ちに前記NAP IDの有効性、又は前記NAP ID及び BS IDの有効性を判断するステップ、
（ｂ）判断の結果が有効であれば、前記端末が格納の情報により前記ネットワーク発見と選択の後続のプロセスを続け、判断の結果が無効であれば、新しいネットワーク発見と選択の後続のプロセスを行うステップを含むことを特徴とする方法。
【請求項２】
前記端末に以前のアクセス情報が格納されてあれば、ステップ（ａ）において、前記NAP ID及びBS IDの有効性を判断し、
前記端末にサブスクライブ時の配置情報が格納されてあれば、ステップ（ａ）において、前記NAP IDの有効性を判断することを特徴とする請求項１に記載の方法。
【請求項３】
ステップ（ｂ）に記載の後続のプロセスには、物理チャンネルパラメーターメッセージの受信及び解析処理が含まれることを特徴とする請求項１に記載の方法。
【請求項４】
ステップ（ｂ）において、判断の結果が無効であれば、前記端末は既存の協議に基づいて物理チャンネルパラメーターメッセージの受信及び解析処理をするのではなく、新しいネットワーク発見と選択のプロセスを始めることを特徴とする請求項１に記載の方法。
【請求項５】
ステップ（ａ）に記載の端末はダウンリンクチャネルに同期し、DL-MAPメッセージを解析することによって、前記BS ID、前記NAP ID及びダウンリンクチャネルの記述子DCDのカウントを取得することを特徴とする請求項１に記載の方法。
【請求項６】
ステップ（ａ）に記載の端末には以前のアクセス情報を格納しており、ステップ（ｂ）に記載の後続のプロセスは、
（ｂ１）前記DCDカウントが端末に格納したDCDカウントとマッチングであるかどうかを判断し、マッチングであれば、ネットワーク発見と選択を終了し、マッチングでなければ、ステップ（ｂ２）を実行するステップ、
（ｂ２）DCDメッセージとアップチャンネルの記述子UCDメッセージとネットワークサービスプロバイダ標識NSPの変更カウントを受信及び解析処理し、協議に基づいて後続のプロセスを実行し続けるステップを含むことを特徴とする請求項５に記載の方法。
【請求項７】
ステップ（ａ）に記載の端末にサブスクライブ時の配置情報を格納しており、ステップ（ｂ）に記載の後続のプロセスは、DCDメッセージとUCDメッセージとNSP変更カウントを受信及び解析処理し、協議に基づいて後続のプロセスを実行し続けるステップを含むことを特徴とする請求項４に記載の方法。
【発明の詳細な説明】
【技術分野】
【０００１】
本発明は無線通信システムのネットワークへのアクセス技術に関し、特に無線通信端末のネットワークへのアクセス方法に関するものである。
【背景技術】
【０００２】
従来、無線ネットワークでは、ネットワークアクセスプロバイダもあり、ネットワークサービスプロバイダもあり、一つのアクセスネットワークは多数のサービスネットワークに共有され、一つの地理エリアに多数のネットワークアクセスプロバイダにて同時にサービスを提供することもできる。このような複雑な運営モードでは、ネットワーク発見と選択機能がだんだん大切になってきた。
【０００３】
従来の無線通信ネットワークでは、ネットワーク発見と選択を図る考案はそれぞれ特徴があり、しかし、すべてはまずネットワークの標識を取得し、そして端末は自身に既存の情報に基づいて後続の処理を実行する。
【０００４】
WiMAXシステムを例にして、新しく公布したバージョンNWG1.1.0に、WiMAX端末がネットワークを発見して選択するプロセス及び方法を記載した。その中に、端末がサブスクライブ時の配置情報を格納する場合におけるネットワーク発見と選択のプロセスを記載した。このような場合、基地局アクセスは格納のサブスクライブ時の配置情報を利用して、ネットワーク発見と選択などネットワークアクセスの過程を最適化できる。これにより、従来の「前回のアクセス情報」又は「サブスクライブ時の配置情報」に基づくネットワーク発見と選択及びネットワークアクセスのプロセスは以下の手順を含むとわかる。
【０００５】
「前回のアクセス情報」に基づく場合について、ネットワークアクセスプロバイダ標識(NAP ID, Network Access Provider ID)と基地局標識(BS ID, Base Station ID)の有効性を判断するプロセスの前に、端末が前回のDCDカウントの有効性を判断するプロセスを先に行う。DCDカウントが無効だと判断されたら、DCDなどの情報を取得し続ける。
【０００６】
「サブスクライブ時の配置情報」に基づく場合について、端末がダウンリンクチャネル記述子(DCD, Download Channel Descriptor)などの情報を直接に取得してから、NAP IDの有効性を判断するプロセスを行う。
【０００７】
協議IEEE802.16e-2005に基づいて、ダウンリンクマップDL-MAPメッセージには「DCDカウント」と「BS ID(NAP IDを含み)」を含むが、DCDメッセージ（即ち、BSが周期的に送信したメッセージは、ダウンリンク物理チャネルの特性を定義した）には「配置変更カウント」、「ネットワークサービスプロバイダ標識(NSP ID, Network Service Provider ID)の変更カウント」を含む。
【０００８】
協議IEEE802.16e-2005に基づいて、端末が同期ダウンリンクの際、いつもまずはDL-MAPメッセージを受信し、それによって、「DCDカウント」及び「BS ID(NAP IDを含み)」を取得する。次に、DCDなどの制御メッセージを受信する。
【０００９】
したがって、上記の分析から見られるのは、現有協議のプロセスに基いて、端末が先にDL-MAPメッセージをデコードして、「BS ID」、「NAP ID」と「DCDカウント」を取得したが、「NAP ID」、「BS ID」の有効性を判断しなかったので、この場合にDL-MAPをデコードして得られた「NAP ID」又は「BS ID」そのものが無効としても、端末が依然として後続のDCDなどのメッセージを取得するプロセスを実行して、端末がネットワーク発見と選択の時間を増やさせ、端末がネットワークへのアクセスの速度に影響をもたらした。
【発明の概要】
【００１０】
本発明が解決しようとする技術課題は、無線通信システム端末がネットワークへのアクセスを加速する方法を提供し、現有協議プロセスを改善し、端末がネットワーク発見と選択の時間を減少することにしたがって、端末がネットワークにアクセスする速度を向上することである。
【００１１】
上記の課題を解決するには、
本発明の無線通信システム端末のネットワークへのアクセスを加速する方法は、
（ａ）無線端末がシステムのパラメーター情報を受信し、基地局ID(BS ID)及びネットワークアクセスプロバイダID(NAP ID)のシステム情報を取得してから、直ちにNAP IDの有効性、又はNAP ID及び BS IDの有効性を判断するステップ、
（ｂ）判断の結果が有効であれば、前記端末が格納の情報により前記ネットワーク発見と選択の後続のプロセスを続け、判断の結果が無効であれば、新しいネットワーク発見と選択のプロセスを行うステップを含む。
【００１２】
さらに、
前記端末に以前のアクセス情報を格納すれば、ステップ（ａ）において、前記NAP ID及びBS IDの有効性を判断し、
前記端末にサブスクライブ時の配置情報を格納すれば、ステップ（ａ）において、前記NAP IDの有効性を判断する。
【００１３】
さらに、
ステップ（ｂ）に記載の後続のプロセスには、物理チャンネルパラメーターメッセージの受信及び解析処理が含む。
【００１４】
さらに、
ステップ（ｂ）において、判断結果が無効であれば、前記端末は既存の協議に基づいて物理チャンネルパラメーターメッセージの受信及び解析処理せず、新しいネットワーク発見と選択のプロセスを始める。
【００１５】
さらに、
ステップ（ａ）に記載の端末はダウンリンクチャネルに同期してDL-MAPメッセージを解析することによって、前記BS ID、前記NAP ID及びダウンリンクチャネルの記述子DCDのカウントを取得する。
【００１６】
さらに、
ステップ（ａ）に記載の端末には以前のアクセス情報を格納しており、ステップ（ｂ）に記載の後続のプロセスは、
（ｂ１）前記DCDカウントが端末に格納したDCDカウントとマッチングであるかどうかを判断し、マッチングであれば、ネットワーク発見と選択を終了し、マッチングでなければ、ステップ（ｂ２）を実行するステップ、
（ｂ２）DCDメッセージとアップリングチャンネルの記述子UCDメッセージとネットワークサービスプロバイダ標識NSPの変更カウントを受信及び解析処理し、協議に基づいて後続のプロセスを実行し続けるステップを含む。
【００１７】
さらに、
ステップ（ａ）に記載の端末にサブスクライブ時の配置情報を格納しており、ステップ（ｂ）に記載の後続のプロセスは、DCDメッセージ、UCDメッセージとNSP変更カウントを受信及び解析処理し、協議に基づいて後続のプロセスを実行し続けるステップを含む。
【００１８】
本発明は「アクセス情報がすでにある」に基づくネットワーク発見と選択のプロセスにおいて、無線通信のシステム情報の受信により、BS IDとNAP IDを取得してから、まず、BS IDとNAP IDの有効性を判断し、それから後続のプロセスを行い、或いは、「サブスクライブ時の配置情報がすでにある」に基づくネットワーク発見と選択のプロセスにおいて、まずNAP IDの有効性を判断してから、後続のプロセスを行うことによって、現有協議プロセスにおけるNAP ID又はBS IDが無効である場合に、依然として情報の受信及び解析など一連の無駄なプロセスを省略し、したがって、端末がネットワークへのアクセスの速度を向上させる。
【図面の簡単な説明】
【００１９】
【図１】本発明の実施例がWiMAXネットワークにおいて前回のアクセス情報に基づくネットワーク発見と選択に対しての最適化を行うプロセスである。
【図２】本発明の実施例がWiMAXネットワークにおいてサブスクライブ時の配置情報に基づくネットワーク発見と選択に対しての最適化を行うプロセスである。
【発明を実施するための形態】
【００２０】
本発明が提供した無線通信システム端末のネットワークへのアクセスを加速する方法は、
無線端末がシステムのパラメーター情報を受信し、BS ID及びNAP IDのシステム情報を取得してから、直ちにNAP IDの有効性、又はNAP ID及び BS IDの有効性を判断するステップ、
判断の結果が有効であれば、続けて物理チャンネルパラメーターメッセージの受信及び解析処理する後続のプロセスを行うが、判断の結果が無効であれば、新しいネットワーク発見と選択のプロセスを行うステップを含む。
【００２１】
上記方法のステップによって、NAP ID又はBS ID及びNAP IDが有効である場合のみに、物理層の配置メッセージを受信し続け、したがって、NAP ID又はBS IDが無効であっても、物理層の配置などメッセージを受信し続けることを避けて、端末がネットワーク発見と選択の過程を速めさせる。
【００２２】
以下、図面と実施例を参照して、本発明に係る上記技術方案を詳しく説明する。
【００２３】
実施例１では、端末が以前のアクセス情報を格納した場合に、本発明の実施例がネットワーク発見と選択を実現する方法のプロセスは、図１に示すように、以下のステップを含む。
【００２４】
ステップ１０１：ダウンリンクチャンネルに同期して、DL-MAPメッセージを解析して、それぞれNAP IDとBS IDとDCDカウントを取得する。
【００２５】
ステップ１０２：NAP IDとBS IDが端末に格納した値とマッチングであるかどうかを判断し、マッチングであれば、ステップ１０３を実行し、マッチングでなければ、ステップ１０５を実行する。
【００２６】
ステップ１０３：DCDカウントが端末に格納した値とマッチングであるかどうかを判断し、マッチングであれば、ステップ１０４を実行し、マッチングでなかれば、ステップ１０６を実行する。
【００２７】
ステップ１０４：ネットワーク発見と選択が終わる。
【００２８】
ステップ１０５：現有協議における後続のプロセスを終了し、改めてネットワーク発見と選択を実行し、即ち、無線端末は協議に基いて物理チャンネルパラメーターメッセージの受信及び解析処理をする必要はない。
【００２９】
ステップ１０６：待つ、スキャンして、DCDとアップリンクチャンネルの記述子(UCD, Upload Channel Descriptor)メッセージ及びNSP変更カウントを取得し、協議に基づいて後続のプロセスを続ける。
【００３０】
実施例２では、端末にサブスクライブ時の配置情報がある場合に、本発明の実施例がネットワーク発見と選択を実現する方法のプロセスは、図２に示すように、以下のステップを含む。
【００３１】
ステップ２０１：ダウンリンクチャンネルに同期して、DL-MAPメッセージを解析して、それぞれNAP ID、BS IDとDCDカウントを取得する。
【００３２】
ステップ２０２：NAP IDが端末に格納のサブスクライブ時の配置情報とマッチングであるかどうかを判断し、マッチングであれば、ステップ２０３を実行し、マッチングでなければ、ステップ２０４を実行する。
【００３３】
ステップ２０３：DCDとUCDなど物理チャンネルの配置メッセージ及びNSP変更カウントを受信して、協議に基づき後続のプロセスを続ける。
【００３４】
ステップ２０４：現有協議における後続のプロセスを終了し、改めてネットワーク発見と選択のプロセスをスタートする。
【００３５】
以上は本発明の好ましい形態の実施例として掲示された内容であるが、その内容に限定しない。いずれの本分野の技術者にとって、本発明の精神を外れない範囲内、適当な変動やレタッチできる。このために、本発明の保護範囲は前記請求項に定義された内容を指針とする。
【産業上の利用可能性】
【００３６】
本発明は無線通信システム端末のネットワークへのアクセスを加速する方法を提供し、「アクセス情報がすでにある」又は「サブスクライブ時の配置情報がすでにある」に基づくネットワーク発見と選択のプロセスは、システム情報を受信することによって、NAP IDとBS IDを取得してから、まずはNAP ID又はNAP IDとBS IDの有効性を判断し、それから後続のプロセスを行う。これによって、現有協議のプロセスにおけるNAP ID又はBS IDが無効であっても、依然として情報の受信、デコードなど一連の無駄な過程を省略し、端末がネットワークへのアクセス速度を向上させる。
【図１】
2010534987.tif 000003
【図２】
2010534987.tif 000004
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
無線通信システム端末のネットワークへのアクセスを加速する方法であって、
（ａ）無線端末がシステムのパラメーター情報を受信し、基地局標識BS ID及びネットワークアクセスプロバイダ標識NAP IDのシステム情報を取得してから、直ちに前記NAP IDの有効性、又は前記NAP ID及び BS IDの有効性を判断するステップ、
（ｂ）判断の結果が有効であれば、前記端末が格納の情報により前記ネットワーク発見と選択の後続のプロセスを続け、判断の結果が無効であれば、新しいネットワーク発見と選択の後続のプロセスを行うステップを含むことを特徴とする方法。
【請求項２】
前記端末に以前のアクセス情報が格納されてあれば、ステップ（ａ）において、前記NAP ID及びBS IDの有効性を判断し、
前記端末にサブスクライブ時の配置情報が格納されてあれば、ステップ（ａ）において、前記NAP IDの有効性を判断することを特徴とする請求項１に記載の方法。
【請求項３】
ステップ（ｂ）に記載の後続のプロセスには、物理チャンネルパラメーターメッセージの受信及び解析処理が含まれることを特徴とする請求項１に記載の方法。
【請求項４】
ステップ（ｂ）において、判断の結果が無効であれば、前記端末は既存の協議に基づいて物理チャンネルパラメーターメッセージの受信及び解析処理をするのではなく、新しいネットワーク発見と選択のプロセスを始めることを特徴とする請求項１に記載の方法。
【請求項５】
ステップ（ａ）に記載の端末はダウンリンクチャネルに同期し、DL-MAPメッセージを解析することによって、前記BS ID、前記NAP ID及びダウンリンクチャネルの記述子DCDのカウントを取得することを特徴とする請求項１に記載の方法。
【請求項６】
ステップ（ａ）に記載の端末には以前のアクセス情報を格納しており、ステップ（ｂ）に記載の後続のプロセスは、
（ｂ１）前記DCDカウントが端末に格納したDCDカウントとマッチングであるかどうかを判断し、マッチングであれば、ネットワーク発見と選択を終了し、マッチングでなければ、ステップ（ｂ２）を実行するステップ、
（ｂ２）DCDメッセージとアップチャンネルの記述子UCDメッセージとネットワークサービスプロバイダ標識NSPの変更カウントを受信及び解析処理し、協議に基づいて後続のプロセスを実行し続けるステップを含むことを特徴とする請求項５に記載の方法。
【請求項７】
ステップ（ａ）に記載の端末にサブスクライブ時の配置情報を格納しており、ステップ（ｂ）に記載の後続のプロセスは、DCDメッセージとUCDメッセージとNSP変更カウントを受信及び解析処理し、協議に基づいて後続のプロセスを実行し続けるステップを含むことを特徴とする請求項２に記載の方法。
【国際調査報告】
2010534987.tif 000005
2010534987.tif 000006
2010534987.tif 000007
2010534987.tif 000008